(57)【要約】【課題】手首動脈に対する精緻な取付位置を意識することなく手首動脈のおおよその位置に脈波測定装置を装着するだけで、手首動脈の脈波を正確に測定する脈波測定装置を提供する。【解決手段】容器１１は、ＬＥＤのみを収納し、容器２１、３１はＬＥＤ及びＰＤを収納し、容器４１は、ＰＤのみを収納する。脈波測定装置１は、複数のＬＥＤを順次駆動し、その照射光の反射光を受光した複数のＰＤが出力する出力電圧値の変化と、メモリに記憶された脈波形情報に基づき、複数のＬＥＤの１つ及び複数のＰＤの１つから成るペアを選択し、選択したＬＥＤ及びＰＤにより被験者の手首動脈の脈波を測定する。【選択図】図２
2011055895.tif 000002
【特許請求の範囲】
【請求項１】
被験者の手首動脈に対して光を照射する発光素子及び当該手首動脈に対する照射光の反射光を受光する受光素子と、前記発光素子の駆動制御を行い前記受光素子の出力電圧値の変化に基づき前記被験者の手首動脈の脈波を測定する制御部とを前記被験者の手首に装着する弾性ベルトを有する脈波測定装置において、
前記発光素子及び前記受光素子は、各々前記弾性ベルトに少なくとも２つ並設された被験者の手首軸方向を長辺とする縦長の容器に区画して形成された収納室に収納され、
前記制御部は予め基準となる脈波形情報をメモリに記憶保有し、複数の前記発光素子を順次駆動し、その照射光の反射光を受光した複数の各受光素子が出力する電圧値の変化と、前記メモリに記憶された脈波形情報に基づき、複数の前記発光素子の１つ及び複数の前記受光素子の１つから成るペアを選択し、選択した発光素子及び受光素子により被験者の手首動脈の脈波を測定することを特徴とする脈波測定装置。
【請求項２】
前記２つ並設された容器の両脇又は片脇に前記容器を並設し、当該容器の収納室に前記発光素子及び前記受光素子、又は、前記発光素子若しくは前記受光素子が収納されていることを特徴とする請求項１に記載の脈波測定装置。
【請求項３】
前記発光素子及び前記受光素子は、並設される前記容器の収納室に市松状に各々収納されることを特徴とする請求項２に記載の脈波測定装置。
【発明の詳細な説明】
【技術分野】
【０００１】
本発明は、被験者の手首に装着される腕時計型の脈波測定装置に係り、特に、発光素子及び受光素子を用いて手首脈波を測定する腕時計型の脈波測定装置に関する。
【背景技術】
【０００２】
発光素子（以下、ＬＥＤと記す）及び受光素子（以下、ＰＤと記す）を用いて手首脈波を測定する腕時計型の脈波測定装置が様々提案されている。この脈波測定装置は、手首動脈に対して光を照射するＬＥＤ、及び、当該手首動脈に対するＬＥＤ照射光の反射光を受光するＰＤを装置内に備え、前記ＰＤの出力電圧値の変化に基づき、前記被験者の手首動脈の拍動による動脈容積変位を検知し脈波を測定する。
【０００３】
図９は、前記ＰＤの出力電圧値の変化に基づき測定された理想的な脈波形（約２.５拍）を示す図で、横軸は時間、縦軸は出力電圧値を示している。山のピークは心臓の収縮期を示し、谷の底は同拡張期に同期して動脈血管が収縮・拡張している様子を示している。なお、脈波形の振幅、形状等は個人差、体調、体動等や測定装置の装着力や血管とＬＥＤ・ＰＤの相対位置などによって刻々と変化する。
【０００４】
ところで、被験者の手首動脈の位置は被験者毎に異なり、さらに、手首の形状は複雑であるので、脈波を正確に測定できる手首の位置に、ＬＥＤ及びＰＤを配置することは難しい。
そこで、例えば、特許文献１には、１つのＬＥＤと複数のＰＤを備えた脈波検出装置を被験者の手首に巻回し、最大受光出力（最大出力電圧）が得られるＰＤを選択し、当該ＰＤの出力電圧値に基づき脈波を検出する手法が開示されている。
また、特許文献２には、複数のＬＥＤと複数のＰＤを備えた脈波計測装置を被験者の手首に装着し、複数のＬＥＤ及び複数のＰＤの中から最適な一対のＬＥＤとＰＤとの組み合わせを、ＰＤからの脈波信号強度（出力電圧）の違いに基づきリアルタイムに選択し、選択したＰＤの出力電圧値に基づき脈波を計測する手法が開示されている。
【先行技術文献】
【特許文献】
【０００５】
【特許文献１】特開平１１−３１８８４０号公報
【特許文献２】特開２００６−２７１８９６号公報
【発明の概要】
【発明が解決しようとする課題】
【０００６】
ＬＥＤ照射光の反射光をＰＤで確実に受光するためには、ＬＥＤ及びＰＤを人体体表（手首）に密着させなければならないが、上記特許文献には、複雑な形状でかつ弾力性をもつ手首に対してＬＥＤ及びＰＤを密着させる具体的手段は開示されておらず、被験者の手首動脈の脈波を正確に測定することは困難である。特に、被験者が運動していると、当該被験者の手首に装着していた脈波測定装置がずれて、当該被験者の手首動脈の脈波を正確に測定することがより困難になる。
【０００７】
また、上記特許文献に開示されているように、単に、ＬＥＤ、ＰＤを増やすだけでは、装置の小型化を阻害し、手首に装置を装着しにくくなる。他にも、製造コスト及び製造工程が増え、また、素子数が増えることによりハンダ信頼性が低下しやすくなる。
【０００８】
本発明は、かかる実情に鑑みてなされたものであり、ＬＥＤ及びＰＤを用いて手首脈波を測定する腕時計型の脈波測定装置において、手首動脈に対する精緻な取付位置を意識することなく手首動脈のおおよその位置に脈波測定装置を装着するだけで、手首動脈の脈波を正確に測定する脈波測定装置を提供することを目的とする。
【課題を解決するための手段】
【０００９】
第１の技術手段は、被験者の手首動脈に対して光を照射する発光素子及び当該手首動脈に対する照射光の反射光を受光する受光素子と、前記発光素子の駆動制御を行い前記受光素子の出力電圧値の変化に基づき前記被験者の手首動脈の脈波を測定する制御部とを前記被験者の手首に装着する弾性ベルトを有する脈波測定装置において、前記発光素子及び前記受光素子は、各々前記弾性ベルトに少なくとも２つ並設された被験者の手首軸方向を長辺とする縦長の容器に区画して形成された収納室に収納され、前記制御部は予め基準となる脈波形情報をメモリに記憶保有し、複数の前記発光素子を順次駆動し、その照射光の反射光を受光した複数の各受光素子が出力する電圧値の変化と、前記メモリに記憶された脈波形情報に基づき、複数の前記発光素子の１つ及び複数の前記受光素子の１つから成るペアを選択し、選択した発光素子及び受光素子により被験者の手首動脈の脈波を測定することを特徴とする脈波測定装置である。
【００１０】
第２の技術手段は、第１の技術手段において、前記２つ並設された容器の両脇又は片脇に前記容器を並設し、当該容器の収納室に前記発光素子及び前記受光素子、又は、前記発光素子若しくは前記受光素子が収納されている脈波測定装置である。
【００１１】
第３の技術手段は、第２の技術手段において、前記発光素子及び前記受光素子は、並設される前記容器の収納室に市松状に各々収納される脈波測定装置である。
【発明の効果】
【００１２】
本発明によれば、被験者は手首動脈のおおよその位置に脈波測定装置を装着するだけで、手首動脈の脈波を正確に測定することができる。装着後、脈波測定装置の位置がずれても、正確に手首脈波を測定することができる。
【図面の簡単な説明】
【００１３】
【図１】本発明に係る脈波測定装置を被験者の手首に装着した状態を示す図である。
【図２】本発明に係る脈波測定装置の外観図である。
【図３】本発明に係る脈波測定装置の容器の外観図である。
【図４】本発明に係る脈波測定装置を被験者の手首に装着した状態において、ＬＥＤ及びＰＤが配置されている状態を説明する図である。
【図５】脈波形を示す図である。
【図６】本発明に係る脈波測定装置の機能ブロック図である。
【図７】本発明に係る脈波測定装置の容器の詳細について説明する図である。
【図８】本発明に係る脈波測定装置の容器を弾性ベルトに取り付ける様子を示す図である。
【図９】ＰＤの出力電圧値の変化に基づき測定された理想的な脈波形を示す図である。
【発明を実施するための形態】
【００１４】
図１は、本発明に係る脈波測定装置１を被験者の手首Ｗに装着した状態を示す図である。
１１，２１，３１，４１は、手首動脈に対して光を照射するＬＥＤ及び／又は当該手首動脈に対するＬＥＤ照射光の反射光を受光するＰＤを収納する容器である。この容器は、被験者の手首軸方向を長辺とする縦長の容器である。容器１１は、ＬＥＤのみを収納し、容器２１、３１はＬＥＤ及びＰＤを収納し、容器４１は、ＰＤのみを収納する。なお、詳細については後述する。
【００１５】
５１は、各容器を手首に装着するために用いられる弾性ベルトで、当該弾性ベルトに当該各容器が固定される。弾性ベルト５１は、装着ベルト（図示せず）を用いて、被験者の手脈に巻回される。なお、弾性ベルト５１は、ゴムあるいはエラストマー素材により構成される。
【００１６】
図２は、脈波測定装置１の外観図で、弾性ベルト５１には４つの容器（１１，２１，３１，４１）が並設して固定されている。
１１ａ、２１ａは、各容器に収納されているＬＥＤの出射面、ＰＤの受光面を覆う透明カバーである。この透明カバーにより、ＬＥＤの出射面、ＰＤの受光面が被験者の体表（皮膚）に触れることはなく、出射面、受光面が汚れない。なお、容器３１、４１の透明カバーについては図示していないが、前記の透明カバーと同じ透明カバーが設けられている。
【００１７】
５２は、連続した一枚のフレキシブル基板で、各容器に収納されているＬＥＤやＰＤの動作を制御する電子部品が搭載される。５１ａ、５１ｂは、弾性ベルト５１に形成された装着用穴で、前記装着ベルト（図示せず）が当該穴に装着される。前記装着ベルトにより、弾性ベルト５１に固定された各容器が被験者の手首に巻回（装着）される。
【００１８】
図３は、容器１１、２１、３１、４１の外観図である。なお、説明のため、透明カバー１１ａ等については図示を省略している。
図１に示したように、脈波測定装置１を被験者の手首に装着すると当該被験者の小指側に位置する容器１１にはＬＥＤ１１ｅが収納されている。ＬＥＤ１１ｅは、前記の装着時、被験者の肘側（図４参照）に位置する。ＬＥＤ１１ｅを小指側に配置しているのは、ＬＥＤ１１ｅ−ＰＤ２１ｐ（ＬＥＤ２１ｅ）間に手首尺骨動脈が位置するとき、小指側にＰＤを配置した場合はＰＤの出力電圧値が前者に比較し小さいという結果が発明者らの実験で得られたためである。
【００１９】
容器１１の図面左隣りに位置する容器２１にはＬＥＤ２１ｅ及びＰＤ２１ｐが収納されている。ＬＥＤ２１ｅは、前記の装着時、被験者の掌側に位置し、ＰＤ２１ｐは当該被験者の肘側に位置する。容器３１にはＬＥＤ３１ｅ及びＰＤ３１ｐが収納されている。ＬＥＤ３１ｅは、前記の装着時、被験者の肘側に位置し、ＰＤ３１ｐは、当該被験者の掌側に位置する。
【００２０】
脈波測定装置１を被験者の手首に装着すると当該被験者の親指側に位置する容器４１にはＰＤ４１ｐが収納されている。ＰＤ４１ｐは、前記の装着時、被験者の肘側に位置する。
【００２１】
本発明の脈波測定装置１は、図１に示したように、当該装置１を被験者の手首に装着した状態において、ＬＥＤ１１ｅ、ＬＥＤ２１ｅ、ＬＥＤ３１ｅを順次駆動（点灯）させたときに、ＬＥＤ照射光の反射光を受光したＰＤ２１ｐ、ＰＤ３１ｐ、ＰＤ４１ｐが出力する電圧値及び当該電圧値の変化と、基準となる脈波形に係る情報（後述）に基づき、複数のＬＥＤの１つ及び複数のＰＤの１つから成るＬＥＤ及びＰＤのペアを選択し、選択したＬＥＤ及びＰＤにより被験者の手首動脈の脈波を測定する。
【００２２】
本発明の脈波測定装置１で実行される脈波測定処理について、図４及び図５を用いて詳細に説明する。
図４は、脈波測定装置１を被験者の手首に装着した状態において、前記のＬＥＤとＰＤの当該手首における配置状態を説明するための図である。
前記のＬＥＤとＰＤは市松状（千鳥状）に配置される。つまり、前記のＬＥＤとＰＤは、並設される容器の収納室（後述）に市松状に各々収納されている。
このとき、ＬＥＤ３１ｅとＰＤ４１ｐとの間に手首動脈Ａが位置しているとする。
【００２３】
一般的にＬＥＤ、ＰＤ間の略中央に手首動脈が位置するときが、ＰＤの出力電圧値が大きく、ＳＮＲ(Signal-Noise Ratio)も良好である。本発明においては図４に示す略寸法数値でＬＥＤ、ＰＤを配置している。発明者らの実験において手首尺骨動脈又は手首橈骨動脈を指で触診し体表上の測定点に目星を付けたのち当該寸法値に配した脈波測定装置１を手首に装着すれば、ほぼ両動脈位置の個体差はカバーできることが確認できた。
【００２４】
図５（Ａ）は、ＬＥＤ２１ｅを点灯させたときに、ＰＤ２１ｐ、ＰＤ３１ｐ、ＰＤ４１ｐが出力した電圧値及び当該電圧値の変化（脈波形）を示す図、図５（Ｂ）は、ＬＥＤ１１ｅを点灯させたときに前記ＰＤが出力した電圧値及び当該電圧値の変化を示す図、図５（Ｃ）は、ＬＥＤ３１ｅを点灯させたときに前記ＰＤが出力した電圧値及び当該電圧値の変化を示す図である。
【００２５】
図５（Ａ）に示す、ＬＥＤ２１ｅを点灯させたときに、ＰＤ２１ｐ、ＰＤ３１ｐ、ＰＤ４１ｐから得られる脈波形の形状は、図９に示した脈波形の形状とは明らかに異なり、不正確な脈波形の形状であることがわかる。
図５（Ｂ）に示す、ＬＥＤ１１ｅを点灯させたときに、ＰＤ２１ｐ、ＰＤ３１ｐから得られる脈波形の形状は、図９に示した脈波形の形状と略一致しているが、ＰＤ４１ｐから得られる脈波形の形状は、図９に示した脈波形の形状とは明らかに異なり、不正確な脈波形の形状であることがわかる。
【００２６】
これに対して、図５（Ｃ）に示す、ＬＥＤ３１ｅを点灯させたときに、ＰＤ２１ｐ、ＰＤ３１ｐ、ＰＤ４１ｐから得られる脈波形の形状は、全て、図９に示した脈波形の形状と略一致している。また、ＰＤ２１ｐ、ＰＤ３１ｐ、ＰＤ４１ｐから得られる脈波形の値（出力電圧値）の中で、ＰＤ４１ｐから得られる脈波形の値が最も高い。以上より、最適なＬＥＤとＰＤのペアは、ＬＥＤ３１ｅとＰＤ４１ｐのペアであると決定することができる。
【００２７】
ＰＤ２１ｐ、ＰＤ３１ｐ、ＰＤ４１ｐから得られる脈波形の形状と、図９に示した脈波形の形状とが一致しているか判定する手法としては、従来から提案されている様々な手法を用いることができる。例えば、ＰＤ出力値や波形ＳＮＲや脈波グラフの２回微分波形で得られる変曲点、当該変曲点に係る閾値などの理想的な脈波形（図９の脈波形図を参照）に係る情報をメモリに予め記憶保有し、当該情報を利用して、前記の判定を行ってもよい。また、両脈波形の形状に対してパターンマッチングを実行し、類似度を算出してもよい。
【００２８】
なお、手首動脈が例えばＬＥＤ２１ｅ、ＰＤ２１ｐの真上に位置しても、前述した判定処理を実行すれば、最適なＬＤ、ＰＤのペアを決定できる。
【００２９】
図６は、本発明に係る脈波測定装置１の機能ブロック図である。６１は、ＬＥＤ・ＰＤユニットで、ＬＥＤ１１ｅ、ＬＥＤ２１ｅ、ＬＥＤ３１ｅ、ＰＤ２１ｐ、ＰＤ３１ｐ、ＰＤ４１ｐやこのＬＥＤ及びＰＤに接続するフレキシブル基板５２等から構成される。ＬＥＤ・ＰＤユニット６１は、出力データ処理部６２に前記各ＰＤの出力電圧値を出力する。
【００３０】
出力データ処理部６２は、アンプ、アナログスイッチ、ＡＤコンバータ等から構成され、ＰＤ２１ｐ、ＰＤ３１ｐ、ＰＤ４１ｐの出力電圧値に対して各種データ処理を実行し、ユニット制御部６３に出力する。
【００３１】
ユニット制御部６３は、調光回路、ドライバ、アナログスイッチ等から構成され、ＬＥＤ・ＰＤユニット６１の各ＬＥＤの駆動制御、及び、各ＰＤの制御を実行する。
【００３２】
ユニット制御部６３のメモリ６３ａは、前述した、ＰＤ出力値や波形ＳＮＲや脈波の２回微分波形で得られる変曲点、当該変曲点に係る閾値などの理想的な脈波形（図９の脈波形図を参照）に係る情報を記憶保有する。
【００３３】
ユニット制御部６３の選択部６３ｂは、ＬＥＤ１１ｅ、ＬＥＤ２１ｅ、ＬＥＤ３１ｅを順次駆動（点灯）させたときに、ＬＥＤ照射光の反射光を受光したＰＤ２１ｐ、ＰＤ３１ｐ、ＰＤ４１ｐが出力する電圧値及び当該電圧値の変化と、ＰＤ選択処理に基準となる脈波形情報（メモリ６３ａに予め記憶されている）に基づき、複数のＬＥＤの１つ及び複数のＰＤの１つから成るＬＥＤ及びＰＤのペアを選択し、選択したＬＥＤ及びＰＤにより被験者の手首動脈の脈波を測定する。以後、定期的に前記のＬＥＤ駆動・ＰＤ選択処理を実行する。なお、ＰＤの出力電圧値が所定の閾値以下になると、前記の選択処理を実行してもよい。
【００３４】
前記選択されたＰＤの出力電圧値等は、図示しない、表示装置や、フラッシュメモリ等の記憶媒体に出力される。
【００３５】
次に、図７を用いて容器、例えば、容器３１の詳細について説明する。図７（Ａ）は、容器３１の斜視図、図７（Ｂ）は、容器３１の断面図である。
図７（Ａ）の３２は、ＬＥＤ３１ｅ及びＰＤ３１ｐ（図７（Ｂ）参照）を収納する収納部材である。収納部材３２には、ＬＥＤ３１ｅを収納する収納室３２ａ、及び、ＰＤ３１ｐを収納する収納室３２ｂが、隔壁３２ｃによって区画して形成されている。
隔壁３２ｃにより各収納室が隔てられているので、ＰＤ３１ｐは、ＬＥＤ３１ｅ照射光の反射光のみを受光し、ＬＥＤ３１ｅの照射光を直接受光することはない。
【００３６】
３３は、収納部材３２に収納されたＬＥＤ３１ｅ及びＰＤ３１ｐに接続しているフレキシブル基板５２を補強する補強部材である。なお、ＬＥＤ３１ｅの出射面及びＰＤ３１ｐの受光面は、透明カバー３１ａ（図７（Ｂ）参照）により覆われている。
【００３７】
３４は、収納部材３２を弾性ベルト５１（図２参照）に取り付ける際に使用するベルト留め部材である。３５は、収納部材３２に固定部材３７（図７（Ｂ）参照）を固定する際に使用する第１ネジ、３６は、弾性ベルト５１に収納部材３２を固定する際に使用する第２ネジである。
【００３８】
図７（Ｂ）の容器３１の断面図に示すように、ＬＥＤ３１ｅ及びＰＤ３１ｐはフレキシブル基板５２の配線に接続している。このフレキシブル基板５２は、補強部材３３を介して固定部材３７によって上方から収納部材３２の底側に押しつけられて固定され、当該固定部材３７は第１ネジ３５によって、収納部材３２に固定される。
【００３９】
図８は、容器３１を弾性ベルト５１に取り付ける様子を示す図である。この図では、容器３１の収納部材３２にフレキシブル基板５２が固定部材３７を介して固定された状態を示している。なお、各容器（１１、２１、３１、４１）に収納されている光電素子（ＬＥＤ３１ｅ、ＰＤ３１ｐ等）は、フレキシブル基板５２の接続端子５２ａに接続しているユニット制御部６３（図６参照）等の電子部品と電気的に接続している。前記各容器は、このフレキシブル基板５２を介して連続して一体的に固定（連結）されている。
【００４０】
容器３１の弾性ベルト５１への取り付けについて説明する。まず、ベルト留め部材３４の取付部３４ａを弾性ベルト５１の留め穴５１ｃに通してベルト留め部材３４を固定部材３７に取り付ける。そして、ベルト留め部材３４のネジ穴３４ｂ及び固定部材３７のネジ穴３７ａに第２ネジ３６を差し込み、当該第２ネジ３６によって、弾性ベルト５１を収納部材３２とベルト留め部材３４とで挟み込むように固定する。
【００４１】
他の容器（１１、２１、４１）についても同様に弾性ベルト５１に取り付ける。その後、フレキシブル基板５２の接続端子５２ａを弾性ベルト５１の端子穴５１ｄに通して外部に露出させる。上記の取付により、図２に示した、脈波測定装置１が完成する。
【００４２】
弾性ベルト５１の留め穴５１ｃの直径は、ベルト留め部材３４の取付部３４ａの外径よりも大きく、また、ベルト留め部材３４の取付部３４ａの高さは、弾性ベルト５１の厚みよりも大きい。そのため、手首装着時の弾性ベルト５１の形状変化（例えばネジレ等）に対しても、それぞれの隙間分、余裕を持って固定されるので、容器（１１、２１、３１、４１）のそれぞれ体表に接する側は体表に密着しやすくなる。
【００４３】
以上に説明したように、本発明の脈波測定装置１の各容器は、弾性ベルト５１に各々独立して並設（固定）されているので、体格差、年齢差、性差などにより千差万別で複雑な形状を有する被験者の手首体表面にＬＥＤ及びＰＤを密着して装着することができる。
【００４４】
また、各容器を手首動脈のおおよその位置に装着すれば、理想的な脈波形出力を示すＬＥＤ及びＰＤのペアを自動的に選択し、被験者の手首動脈の脈波を測定するので、被験者は手首動脈に対する精緻な取付位置を意識することなく正確な脈波を測定することができる。
【００４５】
前記の選択処理を、例えば定期的に実行するので、被験者が運動などをしていて、脈波測定装置の装着位置がずれても、正確に手首脈波を測定することができる。
【００４６】
本発明の脈波測定装置１は、必要最小限のＬＥＤ、ＰＤで、被験者の手首動脈の脈波を正確に測定できるので、装置を小型化できる。また、被験者の手首に装着しやすく、便利である。他にも、製造コスト及び製造工程を減らすことができ、素子数が増えることによるハンダ信頼性の低下を防止することができる。
【００４７】
前述の実施例では、４つの容器を並設したが、本発明の脈波測定装置では、他にも様々な変形例を採用することができる。例えば、ＬＥＤ及びＰＤを収納する容器を少なくとも２つ、つまり、容器２１、３１を弾性ベルト５１に並設するだけでもよい。また、容器２１、３１の両脇又は片脇に容器を並設し、当該容器の収納室にＬＥＤ及びＰＤ、又は、ＬＥＤ若しくはＰＤを収納してもよい。なお、この場合でも、図４に示したように、ＬＥＤ及びＰＤは、並設される容器の収納室に市松状に各々収納されることが好ましい。
【符号の説明】
【００４８】
１…脈波測定装置、１１，２１，３１，４１…容器、１１ｅ，２１ｅ，３１ｅ，４１ｅ…ＬＥＤ、１１ｐ，２１ｐ，３１ｐ，４１ｐ…ＰＤ、１１ａ，２１ａ，３１ａ…透明カバー、３２…収納部材、３２ａ，３２ｂ…収納室、３２ｃ…隔壁、３３…補強部材、３４…ベルト留め部材、３４ａ…取付部、３４ｂ…ネジ穴、３５…第１ネジ、３６…第２ネジ、３７…固定部材、３７ａ…ネジ穴、５１…弾性ベルト、５１ａ，５１ｂ…装着用穴、５１ｃ…留め穴、５１ｄ…端子穴、５２…フレキシブル基板、５２ａ…接続端子、６１…ＬＥＤ・ＰＤユニット、６２…出力データ処理部、６３…ユニット制御部、６３ａ…メモリ、６３ｂ…選択部、Ｗ…被験者の手首。
【図１】
2011055895.tif 000003
【図２】
2011055895.tif 000004
【図３】
2011055895.tif 000005
【図４】
2011055895.tif 000006
【図５】
2011055895.tif 000007
【図６】
2011055895.tif 000008
【図７】
2011055895.tif 000009
【図８】
2011055895.tif 000010
【図９】
2011055895.tif 000011